(57)【要約】  バックアップリングによる摺動抵抗を低減させることを可能とする密封構造を提供する。  軸（４００）とハウジング（５００）との間の環状隙間を封止する密封装置（２００）と、軸孔の内周に設けられた第１環状溝（５１０）に装着されて、密封装置（２００）に対する密封対象流体の圧力を緩衝するバッファリング（１００）と、バッファリング（１００）の一部が軸（４００）とハウジング（５００）との間の隙間にはみ出してしまうことを抑制するバックアップリング（１５０）と、を備える密封構造であって、第１環状溝（５１０）は、バッファリング（１００）が装着される大径部（５１１）と、バックアップリング（１５０）が装着される小径部（５１２）とを有する段付き溝で構成され、バックアップリング（１５０）は、バッファリング（１００）に対しては、バッファリング（１００）における大気側（Ａ）の端面（１００ａ）にのみ密着することを特徴とする。
2010146984.tif 000002
【特許請求の範囲】
【請求項１】
軸と、
該軸が挿通される軸孔を有するハウジングと、
これら軸とハウジングとの間の環状隙間を封止する密封装置と、
前記軸孔の内周に設けられた環状溝に装着され、かつ前記密封装置よりも密封対象流体側に配置されて、前記密封装置に対する密封対象流体の圧力を緩衝するバッファリングと、
該バッファリングの反密封対象流体側に、該バッファリングに隣接して配置され、該バッファリングの一部が前記軸とハウジングとの間の隙間にはみ出してしまうことを抑制するバックアップリングと、
を備える密封構造であって、
前記環状溝は、前記バッファリングが装着される大径部と、前記バックアップリングが装着される小径部とを有する段付き溝で構成され、前記バックアップリングは、前記バッファリングに対しては、該バッファリングにおける反密封対象流体側の端面にのみ密着することを特徴とする密封構造。
【請求項２】
前記環状溝の小径部における溝底面と前記バックアップリングの外周面との間に、反密封対象流体側に向かって徐々に間隔が大きくなる隙間が形成されるように、前記溝底面と前記バックアップリングの外周面のうちの少なくともいずれか一方はテーパ面により構成され、
かつ、前記環状溝の小径部における反密封対象流体側の側壁面と前記バックアップリングにおける反密封対象流体側の側壁面との間に、前記溝底面側に向かって徐々に間隔が小さくなる隙間が形成されるように、前記小径部における前記側壁面と前記バックアップリングにおける前記側壁面のうちの少なくともいずれか一方はテーパ面により構成されると共に、
前記バックアップリングにおける反密封対象流体側の外周端縁が、前記小径部における前記側壁面に対して摺動自在な状態で、該バックアップリングは前記小径部に装着されていることを特徴とする請求項１に記載の密封構造。
【請求項３】
前記バッファリングにおける反密封対象流体側の側壁面には、前記バックアップリングにおける密封対象流体側の側壁面のうち軸側に偏った位置を反密封対象流体側に向かって押圧する突起が設けられていることを特徴とする請求項２に記載の密封構造。
【請求項４】
前記バックアップリングにおける密封対象流体側の側壁面には、前記バッファリングにおける反密封対象流体側の内周端縁によって軸表面側に向かって押圧される突起が設けられていることを特徴とする請求項２に記載の密封構造。
【請求項５】
前記バックアップリングにおける内周面は、反密封対象流体側に向かって拡径するテーパ面によって構成されていることを特徴とする請求項２に記載の密封構造。
【請求項６】
軸と、
該軸が挿通される軸孔を有するハウジングと、
これら軸とハウジングとの間の環状隙間を封止する密封装置と、
前記軸孔の内周に設けられた環状溝に装着され、かつ前記密封装置よりも密封対象流体側に配置されて、前記密封装置に対する密封対象流体の圧力を緩衝するバッファリングと、
該バッファリングにおける反密封対象流体側の内周端縁に沿って設けられた切欠に装着され、該バッファリングの一部が前記軸とハウジングとの間の隙間にはみ出してしまうことを抑制するバックアップリングと、
を備える密封構造であって、
前記バックアップリングにおける内周面は、反密封対象流体側に向かって拡径するテーパ面によって構成されていることを特徴とする密封構造。
【発明の詳細な説明】
【技術分野】
【０００１】
本発明は、バッファリングを備えた密封構造に関するものである。
【背景技術】
【０００２】
従来、各種産業機械（例えば、建設機械）に備えられる油圧シリンダなどにおいては、複数のシールを組み合わせたシーリングシステムが用いられている。かかるシーリングシステムにおいては、ピストン（軸）とシリンダ（ハウジング）との間の環状隙間を封止する密封装置（例えば、Ｕパッキン）と、この密封装置よりも密封対象流体側に配置され、密封装置に対する密封対象流体の圧力を緩衝するバッファリングとを備えたものが知られている。【０００３】
図８を参照して、従来例に係るバッファリングについて説明する。図８は従来例に係るバッファリングとバックアップリングの装着状態を示す模式的断面図である。図示のように、バッファリング６００は、ハウジング５００の軸孔の内周に設けられた環状溝５５０に装着される。そして、バッファリング６００は、軸４００に対して摺動自在な第１シールリップ６０１と、環状溝５５０の内周面に対して摺動自在な第２シールリップ６０２とを備えている。これにより、バッファリング６００が密封対象流体側Ｏの流体圧力（油圧）を受けて圧力を緩衝し、バッファリング６００よりも反密封対象流体側である大気側Ａに設けられている不図示の密封装置の耐久性を向上させることができる。【０００４】
また、バッファリング６００における大気側Ａの内周端縁には、環状の切欠６０３が設けられている。そして、この環状の切欠６０３にバックアップリング６１０が装着されている。これにより、バッファリング６００における大気側Ａの内周端縁部分が、軸４００とハウジング５００との間の環状の微小隙間にはみ出してしまうことを抑制している。なお、バッファリング６００は、通常、高温高圧の環境下で用いられることから、一般的に、バッファリング６００の材料としてはウレタンゴムが用いられ、バックアップリング６１０の材料としてはナイロンが用いられる。【０００５】
以上のように構成されるバッファリング６００においては、バックアップリング６１０によって、内周端縁のはみ出しによる損傷等が抑制されるものの、バックアップリング６１０と軸４００との摺動抵抗が高くなり過ぎるという課題を残していた。すなわち、バッファリング６００の本体部分（第１シールリップ６０１及び第２シールリップ６０２以外の部分）は、流体圧力と環状溝５５０の側壁面との間で挟み込まれて圧縮変形する。これにより、この本体部分においては、径方向に引張ひずみを生じさせようとする応力が発生する。従って、バックアップリング６１０は、バッファリング６００から内径方向に向かう力を受ける。また、バックアップリング６１０自体も、バッファリング６００における第１シールリップ６０１と環状溝５５０の側壁面との間で挟みこまれて圧縮変形し、径方向に引張ひずみを生じさせようとする応力が発生する。以上のことから、流体圧力が高くなればなるほど、バックアップリング６１０による軸４００に対する圧力（押付力）が高くなる。これにより、摺動抵抗が高くなって、機械的損失が大きくなったり、発熱量が大きくなったりすることによる各種不具合を招く原因となっていた。なお、図８中の矢印は、油圧や応力がかかる方向を模式的に示したものである。
【先行技術文献】
【特許文献】
【０００６】
【特許文献１】特開２００２−１４７６１５号公報
【発明の概要】
【発明が解決しようとする課題】
【０００７】
本発明の目的は、バックアップリングによる軸への摺動抵抗を低減させることを可能とする密封構造を提供することにある。
【課題を解決するための手段】
【０００８】
本発明は、上記課題を解決するために以下の手段を採用した。【０００９】
すなわち、本発明の密封構造は、
軸と、
該軸が挿通される軸孔を有するハウジングと、
これら軸とハウジングとの間の環状隙間を封止する密封装置と、
前記軸孔の内周に設けられた環状溝に装着され、かつ前記密封装置よりも密封対象流体側に配置されて、前記密封装置に対する密封対象流体の圧力を緩衝するバッファリングと、
該バッファリングの反密封対象流体側に、該バッファリングに隣接して配置され、該バッファリングの一部が前記軸とハウジングとの間の隙間にはみ出してしまうことを抑制するバックアップリングと、
を備える密封構造であって、
前記環状溝は、前記バッファリングが装着される大径部と、前記バックアップリングが装着される小径部とを有する段付き溝で構成され、前記バックアップリングは、前記バッファリングに対しては、該バッファリングにおける反密封対象流体側の端面にのみ密着することを特徴とする。【００１０】
本発明によれば、バッファリングが流体圧力と環状溝の側壁面との間で挟みこまれて圧縮変形し、径方向に引張ひずみを生じさせようとする応力が発生しても、バックアップリングは、当該応力の影響を受けない。また、本発明においては、バッファリングは環状溝における大径部に装着され、バックアップリングは環状溝における小径部に装着される構成を採用している。そのため、バッファリングと環状溝の側壁面との間で挟みこまれることによるバックアップリングの圧縮変形量を抑制させることができる。従って、これらのことが相俟って、バックアップリングによる軸に対する摺動抵抗を効果的に低減させることが可能となる。【００１１】
ここで、前記環状溝の小径部における溝底面と前記バックアップリングの外周面との間に、反密封対象流体側に向かって徐々に間隔が大きくなる隙間が形成されるように、前記溝底面と前記バックアップリングの外周面のうちの少なくともいずれか一方はテーパ面により構成され、
かつ、前記環状溝の小径部における反密封対象流体側の側壁面と前記バックアップリングにおける反密封対象流体側の側壁面との間に、前記溝底面側に向かって徐々に間隔が小さくなる隙間が形成されるように、前記小径部における前記側壁面と前記バックアップリングにおける前記側壁面のうちの少なくともいずれか一方はテーパ面により構成されると共に、
前記バックアップリングにおける反密封対象流体側の外周端縁が、前記小径部における前記側壁面に対して摺動自在な状態で、該バックアップリングは前記小径部に装着されているとよい。【００１２】
このように構成すれば、バックアップリングが反密封対象流体側に押されると、当該バックアップリングは、軸心を通る断面で見た場合に、その反密封対象流体側の外周端縁が外周側に傾いていくように変形する。これにより、バックアップリングによる軸表面への摺動面積が低下し、摺動抵抗を低減させることが可能となる。【００１３】
前記バッファリングにおける反密封対象流体側の側壁面には、前記バックアップリングにおける密封対象流体側の側壁面のうち軸側に偏った位置を反密封対象流体側に向かって押圧する突起が設けられているとよい。【００１４】
これにより、バックアップリングがバッファリングに設けられた突起に押圧されることで、バックアップリングは、軸心を通る断面で見た場合に、より一層、その反密封対象流体側の外周端縁が外周側に傾いていくように変形し易くなる。【００１５】
また、前記バックアップリングにおける密封対象流体側の側壁面には、前記バッファリングにおける反密封対象流体側の内周端縁によって軸表面側に向かって押圧される突起が設けられていることも好適である。【００１６】
これにより、バックアップリングに設けられた突起がバッファリングにおける前記内周端縁に押圧されることで、バックアップリングは、軸心を通る断面で見た場合に、より一層、その反密封対象流体側の外周端縁が外周側に傾いていくように変形し易くなる。【００１７】
前記バックアップリングにおける内周面は、反密封対象流体側に向かって拡径するテーパ面によって構成されているとよい。【００１８】
これにより、バックアップリングによる軸表面への摺動面積がより一層小さくなり、摺動抵抗を低減させることが可能となる。【００１９】
また、本発明の密封構造は、
軸と、
該軸が挿通される軸孔を有するハウジングと、
これら軸とハウジングとの間の環状隙間を封止する密封装置と、
前記軸孔の内周に設けられた環状溝に装着され、かつ前記密封装置よりも密封対象流体側に配置されて、前記密封装置に対する密封対象流体の圧力を緩衝するバッファリングと、
該バッファリングにおける反密封対象流体側の内周端縁に沿って設けられた切欠に装着され、該バッファリングの一部が前記軸とハウジングとの間の隙間にはみ出してしまうことを抑制するバックアップリングと、
を備える密封構造であって、
前記バックアップリングにおける内周面は、反密封対象流体側に向かって拡径するテーパ面によって構成されていることを特徴とする。【００２０】
本発明によれば、バックアップリングによる軸表面への摺動面積が小さくなるため、摺動抵抗を低減させることができる。【００２１】
なお、上記各構成は、可能な限り組み合わせて採用し得る。
【発明の効果】
【００２２】
以上説明したように、本発明によれば、バックアップリングによる軸への摺動抵抗を低減させることができる。
【図面の簡単な説明】
【００２３】
【図１】図１は本発明の実施例１に係る密封構造の模式的断面図である。
【図２】図２は本発明の実施例１に係る密封構造を構成するバッファリングとバックアップリングの模式的断面図である。
【図３】図３は本発明の実施例２に係る密封構造のうちバッファリングの付近を示す模式的断面図である。
【図４】図４（ａ）は本発明の実施例３に係る密封構造のうちバッファリングの付近を示す模式的断面図であり、図４（ｂ）は本発明の実施例４に係る密封構造のうちバッファリングの付近を示す模式的断面図である。
【図５】図５は本発明の実施例５に係る密封構造のうちバッファリングの付近を示す模式的断面図である。
【図６】図６は本発明の実施例６に係る密封構造のうちバッファリングの付近を示す模式的断面図である。
【図７】図７は本発明の実施例７に係る密封構造のうちバッファリングの付近を示す模式的断面図である。
【図８】図８は従来例に係るバッファリングとバックアップリングの装着状態を示す    模式的断面図である。
【発明を実施するための形態】
【００２４】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２５】
以下に示す各実施例に係る密封構造は、各種油圧シリンダに用いられるシーリングシステムとして好適に用いることができる。この場合、以下に説明する軸はピストンに相当し、ハウジングはシリンダに相当し、密封対象流体は油に相当し、流体圧力は油圧に相当する。また、以下の各実施例における大気側は反密封対象流体側（密封対象流体側とは軸方向において反対側）に相当する。
【００２６】
（実施例１）
図１及び図２を参照して、本発明の実施例１に係る密封構造について説明する。
【００２７】
＜密封構造の全体構成＞
特に、図１を参照して、本発明の実施例１に係る密封構造全体の構成について説明する。本実施例に係る密封構造は、軸４００と、軸４００が挿通される軸孔を有するハウジング５００と、これら軸４００とハウジング５００との間の環状隙間を封止する密封装置２００と、密封装置２００よりも密封対象流体側Ｏに配置されるバッファリング１００とを備えている。また、密封装置２００よりも反密封対象流体側である大気側Ａにはダストシール３００が設けられている。
【００２８】
ハウジング５００の軸孔の内周には、第１環状溝５１０と、この第１環状溝５１０よりも大気側Ａに備えられる第２環状溝５２０と、更に大気側Ａに備えられる環状の切欠５３０が設けられている。そして、第１環状溝５１０にバッファリング１００が配置（装着）され、第２環状溝５２０に密封装置２００が配置（装着）され、環状の切欠５３０にダストシール３００が配置（装着）される。
【００２９】
本実施例では、密封装置２００として、断面がＵ字形状のニトリルゴム（ＮＢＲ）製のＵパッキンを採用しているが、この密封装置２００としては、このようなパッキンに限らず、各種シールを採用することができる。また、密封装置２００の大気側Ａには、密封装置２００に隣接して、ポリテトラフルオロエチレン（ＰＴＦＥ）製のバックアップリング２５０が設けられている。これにより、密封装置２００の内周端縁が軸４００とハウジング５００との間の微小な環状隙間にはみ出してしまうことが抑制される。
【００３０】
以上のような構成により、密封装置２００よりも密封対象流体側Ｏにバッファリング１００が配置されることで、密封装置２００に対する密封対象流体の圧力を緩衝することができる。また、密封装置２００よりも大気側Ａにダストシール３００が配置されることで、外部からの異物（埃や塵など）が密封装置２００側に侵入してしまうことを抑制できる。以上のことから、密封装置２００の耐久性を高めることが可能となる。
【００３１】
＜バッファリング＞
次に、バッファリングについて、より詳細に説明する。本実施例に係るバッファリング１００は、軸４００に対して摺動自在な第１シールリップ１０１と、第１環状溝５１０の内周面に対して摺動自在な第２シールリップ１０２とを備えている。なお、バッファリング１００は、ウレタンゴムやＮＢＲによって構成されている。
【００３２】
そして、バッファリング１００の大気側Ａには、バッファリング１００に隣接してバックアップリング１５０が配置されている。これにより、バッファリング１００の一部（内周端縁）が軸４００とハウジング５００との間の環状の微小隙間にはみ出してしまうことが抑制される。なお、バックアップリング１５０は、ウレタンゴムやＮＢＲよりもヤング率の高いナイロン，ＰＴＦＥまたはポリアセタールによって構成されている。
【００３３】
また、本実施例においては、第１環状溝５１０は、密封対象流体側Ｏの大径部５１１と、この大径部５１１に隣接して設けられる大気側Ａの小径部５１２とを有する段付き溝で構成されている。
【００３４】
そして、バッファリング１００は大径部５１１に装着される。バッファリング１００は、流体圧力を受けると大気側Ａに移動し、バッファリング１００における大気側Ａの端面１００ａが、大径部５１１における大気側Ａの側壁面に密着するように構成されている。
【００３５】
また、バックアップリング１５０は小径部５１２に装着される。このバックアップリング１５０は、その内周面が軸４００の表面に対して、摺動自在に接すると共に、その外周面が小径部５１２の内周面（溝底面）に密着するように構成されている。また、流体圧力によって、バッファリング１００が大気側Ａに移動している状態においては、バックアップリング１５０の大気側Ａの端面は、小径部５１２における大気側Ａの側壁面に密着し、バックアップリング１５０の密封対象流体側Ｏの端面は、バッファリング１００の大気側Ａの端面１００ａに密着するように構成されている。なお、バックアップリング１５０は、バッファリング１００に対しては、バッファリング１００における大気側Ａの端面１００ａにのみ密着している。
【００３６】
このような構成により、バッファリング１００の大気側Ａの内周端縁が、軸４００とハウジング５００との間の環状の微小隙間にはみ出してしまうことを抑制することができる。
【００３７】
また、本実施例に係るバックアップリング１５０は、その軸心を通るように切断した断面形状が長方形となっており、軸方向に対する中心面に対して、対称形状となっている。
【００３８】
＜本実施例に係る密封構造の優れた点＞
以上説明したように、本実施例に係る密封構造によれば、バッファリング１００が流体圧力と第１環状溝５１０（の大径部５１１）の側壁面との間で挟みこまれて圧縮変形し、径方向に引張ひずみを生じさせようとする応力が発生しても、バックアップリング１５０は、当該応力の影響を受けない。
【００３９】
また、本実施例においては、バッファリング１００における大気側Ａの端面１００ａは、大径部５１１における大気側Ａの側壁面に密着するように構成されている。そのため、バックアップリング１５０は、バッファリング１００から、密封対象流体側Ｏから大気側Ａへの力をあまり受けない。従って、バックアップリング１５０が、バッファリング１００と第１環状溝５１０（の小径部５１２）の側壁面との間で挟みこまれることによる圧縮変形量は抑制される。
【００４０】
このように、バッファリング１００において径方向の引張ひずみを生じさせようとする応力が発生しても、当該応力の影響を受けず、かつバッファリング１００と第１環状溝５１０の側壁面との間で挟み込まれることによる圧縮変形量が抑制されることとが相俟って、バックアップリング１５０による軸４００に対する摺動抵抗を効果的に低減させることが可能となる。
【００４１】
なお、従来のようにバッファリングの内周端縁に設けた環状の切欠にバックアップリングを装着させる場合の構成に比べて、本実施例の構成を採用することで、バックアップリングと軸との摺動抵抗を４０％程度低減させることが可能となった。これに伴い、機械的損失を低減させることができ、かつ発熱量の低減により、各構成部材の熱劣化を抑制させることが可能となった。
【００４２】
また、本実施例に係るバックアップリング１５０は、上記の通り、軸方向に対する中心面に対して、対称形状となっているので、装着時に方向性を気にする必要がなく、装着作業性に優れている。なお、本実施例においては、バックアップリング１５０によって、バッファリング１００における内周端縁付近のみを保護すればよく、バックアップリング１５０の断面積を大きくする必要はない（径方向の長さ、及び軸方向の長さは共に短くてよい）。そのため、バックアップリング１５０の剛性を低くできるので、バックアップリング１５０を第１環状溝５１０（の小径部５１２）に装着する場合には、治具などを用いず、手作業により装着することが可能となる。
【００４３】
（実施例２）
図３には、本発明の実施例２が示されている。本実施例においては、小径部の溝の構成が上記実施例１の場合とは異なる場合を示す。その他の構成および作用については実施例１と同一なので、同一の構成部分については同一の符号を付して、その説明は省略する。
【００４４】
図３は本発明の実施例２に係る密封構造のうちバッファリングの付近を示す模式的断面図である。密封装置及びダストシールについては、上記実施例１と同一の構成であるので、これらは省略している。また、図３（ａ）は流体圧力がかかっていない状態を示し、同図（ｂ）は流体圧力がかかっている状態を示している。
【００４５】
本実施例においても、第１環状溝５４０は、密封対象流体側Ｏの大径部５４１と、この大径部５４１に隣接して設けられる大気側Ａの小径部５４２とを有する段付き溝で構成されている。
【００４６】
バッファリング１００の構成、大径部５４１の構成、及びバッファリング１００が大径部５４１に装着される点は上記実施例１の場合と同一である。また、バックアップリング１５０の構成、及びバックアップリング１５０が小径部５４２に装着される点についても上記実施例１の場合と同一である。
【００４７】
本実施例においては、小径部５４２の構成が上記実施例１の場合とは異なっている。すなわち、本実施例における小径部５４２は、その溝底面（内周面）５４２ａが大気側Ａに向かって拡径するテーパ面によって構成され、かつ大気側Ａの側壁面５４２ｂが大気側Ａに向かって縮径するテーパ面によって構成されている。
【００４８】
そして、この小径部５４２に装着されるバックアップリング１５０は、上記実施例１で説明したように、その軸心を通るように切断した断面形状が長方形となるように構成されている。つまり、このバックアップリング１５０は円筒形状である。そして、このバックアップリング１５０における大気側Ａの外周端縁が、小径部５４２の側壁面５４２ｂに対して摺動自在な状態で、バックアップリング１５０は小径部５４２に装着されている。
【００４９】
以上の構成により、小径部５４２における溝底面５４２ａとバックアップリング１５０の外周面との間には、大気側Ａに向かって徐々に間隔が大きくなる隙間が形成される（図３（ａ）参照）。また、小径部５４２における大気側Ａの側壁面５４２ｂとバックアップリング１５０における大気側Ａの側壁面との間には、溝底面５４２ａ側に向かって徐々に間隔が小さくなる隙間が形成される。
【００５０】
従って、流体圧力によりバッファリング１００における大気側Ａの内周端縁がバックアップリング１５０を大気側Ａに押圧すると（図３（ｂ）中、矢印Ｐ参照）、バックアップリング１５０は、軸心を通る断面で見た場合に、その大気側Ａの外周端縁が外周側に傾いていくように変形する（図３（ｂ）中、矢印Ｒ参照）。これにより、バックアップリング１５０による軸表面への摺動面積が低下し、実施例１の場合に比べて、より一層、摺動抵抗を低減させることが可能となる。
【００５１】
（実施例３・４）
図４には、本発明の実施例３・４が示されている。本実施例においては、上記実施例２の変形例を示す。実施例２と同一の構成部分については同一の符号を付して、その説明は省略する。
【００５２】
図４は本発明の実施例３・４に係る密封構造のうちバッファリングの付近を示す模式的断面図である。密封装置及びダストシールについては、上記実施例１と同一の構成であるので、これらは省略している。また、図４（ａ）は実施例３を示し、同図（ｂ）は実施例４を示している。なお、図４においては、流体圧力がかかっていない状態を示している。
【００５３】
図４（ａ）に示す実施例３においては、バッファリング１００における大気側Ａの側壁面のうち内周端部の付近に、内周端縁に沿って環状の突起１０３が設けられている点のみが、上記実施例２と異なっている。この環状の突起１０３は、流体圧力がかかった際に、バックアップリング１５０における密封対象流体側Ｏの側壁面のうち軸４００側に偏った位置を大気側Ａに向かって押圧するように構成されている。そのため、バックアップリング１５０は、軸心を通る断面で見た場合に、実施例２の場合に比べて、より一層、その大気側Ａの外周端縁が外周側に傾いていくように変形し易くなっている。
【００５４】
図４（ｂ）に示す実施例４においては、バックアップリング１５０における密封対象流体側Ｏの側壁面に、内周端縁に沿って環状の突起１５１が設けられている点のみが、上記実施例２と異なっている。この環状の突起１５１は、流体圧力がかかった際に、バッファリング１００における大気側Ａの内周端縁によって軸表面側に向かって押圧されるように構成されている。そのため、バックアップリング１５０は、軸心を通る断面で見た場合に、実施例２の場合に比べて、より一層、その大気側Ａの外周端縁が外周側に傾いていくように変形し易くなっている。
【００５５】
（実施例５）
図５には、本発明の実施例５が示されている。本実施例においては、上記実施例２の変形例を示す。実施例２と同一の構成部分については同一の符号を付して、その説明は省略する。
【００５６】
図５は本発明の実施例５に係る密封構造のうちバッファリングの付近を示す模式的断面図である。密封装置及びダストシールについては、上記実施例１と同一の構成であるので、これらは省略している。なお、図５においては、流体圧力がかかっていない状態を示している。
【００５７】
本実施例においては、バックアップリング１６０における内周面１６１が、大気側Ａに向かって拡径するテーパ面によって構成されている点のみが、上記実施例２と異なっている。本実施例の場合には、流体圧力がかかっていない状態においても、バックアップリング１６０による軸４００の表面への接触面積が小さいことから、バックアップリング１６０と軸４００との摺動面積がより一層小さくなり、摺動抵抗を低減させることが可能となる。
【００５８】
（実施例６）
図６には、本発明の実施例６が示されている。本実施例においては、小径部の溝の構成及びバックアップリングの構成が上記実施例１の場合とは異なる場合を示す。その他の構成および作用については実施例１と同一なので、同一の構成部分については同一の符号を付して、その説明は省略する。
【００５９】
図６は本発明の実施例６に係る密封構造のうちバッファリングの付近を示す模式的断面図である。密封装置及びダストシールについては、上記実施例１と同一の構成であるので、これらは省略している。なお、図６においては、流体圧力がかかっていない状態を示している。
【００６０】
本実施例においても、第１環状溝５５０は、密封対象流体側Ｏの大径部５５１と、この大径部５５１に隣接して設けられる大気側Ａの小径部５５２とを有する段付き溝で構成されている。
【００６１】
バッファリング１００の構成、大径部５５１の構成、及びバッファリング１００が大径部５５１に装着される点は上記実施例１の場合と同一である。また、バックアップリング１７０が小径部５５２に装着される点についても上記実施例１の場合と同一である。
【００６２】
そして、本実施例においては、小径部５５２の構成が上記実施例１の場合とは異なっている。すなわち、本実施例における小径部５５２は、その溝底面（内周面）５５２ａが大気側Ａに向かって拡径するテーパ面によって構成され、かつ大気側Ａの側壁面５５２ｂも大気側Ａに向かって拡径するテーパ面によって構成されている。
【００６３】
また、本実施例においては、バックアップリング１７０の構成も上記実施例１の場合とは異なっている。すなわち、本実施例に係るバックアップリング１７０は、その外周面１７２が大気側Ａに向かって拡径するテーパ面によって構成され、かつ大気側Ａの側壁面１７１も大気側Ａに向かって拡径するテーパ面によって構成されている。
【００６４】
ここで、小径部５５２の溝底面５５２ａのテーパ面、バックアップリング１７０の外周面１７２のテーパ面、バックアップリング１７０の側壁面１７１のテーパ面、小径部５５２の側壁面５５２ｂのテーパ面の順に、テーパ角度が大きくなるように構成されている。
【００６５】
また、バックアップリング１７０における大気側Ａの外周端縁が、小径部５５２の側壁面５５２ｂに対して摺動自在な状態で、バックアップリング１７０は小径部５５２に装着されている。
【００６６】
以上の構成により、実施例２の場合と同様に、小径部５５２における溝底面５５２ａとバックアップリング１７０の外周面１７２との間には、大気側Ａに向かって徐々に間隔が大きくなる隙間が形成される。また、小径部５５２における大気側Ａの側壁面５５２ｂとバックアップリング１７０における大気側Ａの側壁面との間には、溝底面５５２ａ側に向かって徐々に間隔が小さくなる隙間が形成される。
【００６７】
従って、上記実施例２の場合と同様に、流体圧力によりバッファリング１００における大気側Ａの内周端縁がバックアップリング１７０を大気側Ａに押圧すると、バックアップリング１７０は、軸心を通る断面で見た場合に、その大気側Ａの外周端縁が外周側に傾いていくように変形する。これにより、バックアップリング１７０による軸表面への摺動面積が低下し、実施例１の場合に比べて、より一層、摺動抵抗を低減させることが可能となる。また、本実施例の場合には、バックアップリング１７０の外周面１７２と側壁面１７１のいずれもテーパ面により構成することで、大気側Ａの外周端縁が鋭いエッジで構成され、かつ小径部５５２における側壁面５５２ｂは大気側Ａに向かって拡径するテーパ面で構成されている。従って、バックアップリング１７０における大気側Ａの外周端縁は、小径部５５２における側壁面５５２ｂに対して大気側Ａに摺動し易い。そのため、バックアップリング１７０は、軸心を通る断面で見た場合に、実施例２の場合に比べて、より一層、その大気側Ａの外周端縁が外周側に傾いていくように変形し易くなっている。
【００６８】
ここで、実施例２〜実施例６においては、バッファリングの内周端縁がバックアップリングを大気側Ａに押圧することによって、バックアップリングが、軸心を通る断面で見た場合に、その大気側Ａの外周端縁が外周側に傾いていくように変形するように構成される例を示した。このようなメカニズムを発生させるためには、次の３点が必要である。
【００６９】
すなわち、第１環状溝の小径部における溝底面とバックアップリングの外周面との間に、大気側Ａに向かって徐々に間隔が大きくなる隙間が形成される点と、小径部における大気側Ａの側壁面とバックアップリングにおける大気側Ａの側壁面との間に、溝底面側に向かって徐々に間隔が小さくなる隙間が形成される点と、バックアップリングにおける大気側Ａの外周端縁が、小径部の側壁面に対して摺動自在な状態で、バックアップリングは小径部に装着される点である。
【００７０】
実施例２〜５では、第１環状溝の小径部における溝底面と大気側Ａの側壁面をそれぞれテーパ面とすることによって、上記のような隙間を形成させる場合を示した。また、実施例６では第１環状溝の小径部における溝底面と大気側Ａの側壁面をそれぞれテーパ面とし、かつバックアップリングにおける外周面と大気側Ａの側壁面をそれぞれテーパ面とすることで、上記のような隙間を形成させる場合を示した。しかしながら、これらに限らず、小径部の溝底面及び大気側Ａの側壁面はテーパ面とはせずに、バックアップリングにおける外周面と大気側Ａの側壁面をそれぞれテーパ面とすることで、上記のような隙間を形成させるようにしてもよい。要は、小径部側かバックアップリング側の少なくともいずれか一方をテーパ面とすることで、上記のような隙間を形成できる。
【００７１】
（実施例７）
図７には、本発明の実施例７が示されている。図７は本発明の実施例７に係る密封構造のうちバッファリングの付近を示す模式的断面図である。密封装置及びダストシールについては、上記実施例１と同一の構成であるので、これらは省略している。なお、図７においては流体圧力がかかっている状態を示している。
【００７２】
本実施例においても、第１環状溝５６０にバッファリング１１０が配置（装着）される点は、上記各実施例と同一である。本実施例においては、第１環状溝５６０は段付き溝ではなく、溝底面に段差はない。そして、本実施例に係るバッファリング１１０においては、第１シールリップ１１１及び第２シールリップ１１２の他に、大気側Ａの内周端縁に沿って切欠１１３が設けられている。
【００７３】
この切欠１１３にバックアップリング１６０が装着されるように構成されている。このバックアップリング１６０は上記実施例５で示したものと同一の構成である。すなわち、このバックアップリング１６０における内周面１６１は、大気側Ａに向かって拡径するテーパ面によって構成されている。従って、バックアップリング１６０による軸表面への摺動面積が小さくなるため、摺動抵抗を低減させることができる。なお、図７における矢印は、流体圧力や応力がかかる方向を模式的に示したものである。
【符号の説明】
【００７４】
１００，１１０  バッファリング
１００ａ  端面
１０１，１１１  第１シールリップ
１０２，１１２  第２シールリップ
１０３  突起
１１３  切欠
１５０，１６０，１７０  バックアップリング
１５１  突起
１６１  内周面
１７１  側壁面
１７２  外周面
２００  密封装置
２５０  バックアップリング
３００  ダストシール
４００  軸
５００  ハウジング
５１０，５４０，５５０，５６０  第１環状溝
５１１，５４１，５５１  大径部
５１２，５４２，５５２  小径部
５２０  第２環状溝
５３０  切欠
５４２ａ，５５２ａ  溝底面
５４２ｂ，５５２ｂ  側壁面
Ａ  大気側（反密封対象流体側）
Ｏ  密封対象流体側
【図１】
2010146984.tif 000003
【図２】
2010146984.tif 000004
【図３】
2010146984.tif 000005
【図４】
2010146984.tif 000006
【図５】
2010146984.tif 000007
【図６】
2010146984.tif 000008
【図７】
2010146984.tif 000009
【図８】
2010146984.tif 000010
【国際調査報告】
2010146984.tif 000011
2010146984.tif 000012
2010146984.tif 000013
2010146984.tif 000014
2010146984.tif 000015
2010146984.tif 000016
2010146984.tif 000017
2010146984.tif 000018